(57)【要約】【課題】本発明は、使い勝手の良い物品識別装置を提供する。【解決手段】固有の識別子を有するタグの読み取りを行うタグ読取部と、タグを読み取った後に音声情報を入力する音声情報入力部と、音声情報入力部から入力された音声情報をタグの有する固有の識別子に対応付けて記憶する記憶部と、読み取ったタグの識別子が記憶部に記憶されているそのタグの固有の識別子か否かを判定する判定部と、判定部の判定によって識別子に対応付けられた音声情報を再生する音声情報再生部と、外部の機器と通信を行う通信部とこれら機能を制御する制御部とを備え、外部の機器との間でタグの有する固有の識別子およびこの識別子に対応付けられた音声情報の授受を行う物品識別装置。【選択図】  図１
2004177769.tif 000002
【特許請求の範囲】
【請求項１】
固有の識別子を有するタグの読み取りを行うタグ読取部と、前記タグを読み取った後に音声情報を入力する音声情報入力部と、前記音声情報入力部から入力された音声情報を前記タグの有する固有の識別子に対応付けて記憶する記憶部と、読み取ったタグの識別子が前記記憶部に記憶されているそのタグの固有の識別子か否かを判定する判定部と、前記判定部の判定によって識別子に対応付けられた音声情報を再生する音声情報再生部と、外部との通信を行う通信部と、これらの機能を制御する制御部とを備え、前記通信部はタグの有する固有の識別子およびこの識別子に対応付けられた音声情報の授受を行う物品識別装置。
【請求項２】
音声情報を入力する音声情報入力部と、前記音声情報入力部から入力された音声情報と前記音声情報に対応付けられた識別子とを記憶する記憶部と、前記音声情報に対応付けられた識別子を書き込まれたタグの読み取りあるいは前記識別子のタグへの書き込みを行うタグ読取書込部と、読み取ったタグの識別子が前記記憶部に記憶されているタグの固有の識別子か否かを判定する判定部と、前記判定部の判定によって識別子に対応付けられた音声情報を再生する音声情報再生部と、外部との通信を行う通信部と、これらの機能を制御する制御部とを備え、前記通信部はタグの有する固有の識別子およびこの識別子に対応付けられた音声情報の授受を行う物品識別装置。
【請求項３】
通信部により別の物品識別装置と通信を行う請求項１または２に記載の物品識別装置。
【請求項４】
外部の機器からタグの有する固有の識別子およびこの識別子に対応付けられた音声情報を受け取った場合に、受け取った音声情報の再生を行う請求項１から３のいずれか１項に記載の物品識別装置。
【請求項５】
固有の識別子を有するタグの読み取りを行うタグ読取部と、前記タグを読み取った後に音声情報を入力する音声情報入力部と、前記音声情報入力部から入力された音声情報を前記タグの有する固有の識別子に対応付けて記憶する記憶部と、読み取ったタグの識別子が前記記憶部に記憶されているそのタグの固有の識別子か否かを判定する判定部と、前記判定部の判定によって識別子に対応付けられた音声情報を再生する音声情報再生部と、これらの機能を制御する制御部と、着脱可能な副記憶部を備え、この副記憶部を装着することで、タグの有する固有の識別子およびこの識別子に対応付けられた音声情報を受け取った場合に、受け取った音声情報の再生を行う物品識別装置。
【請求項６】
固有の識別子を有するタグの読み取りを行うタグ読取部と、前記タグの有する固有の識別子および／またはこの識別子に対応付けられた音声情報を記憶する記憶部と、読み取ったタグの有する固有の識別子が前記記憶部に記憶されているそのタグの固有の識別子か否かを判定する判定部と、前記判定部の判定によって識別子に対応付けられた音声情報を再生する音声情報再生部と、ネットワークに接続が可能な情報端末との接続が可能な接続部と、これらの機能を制御する制御部とを備え、読み取ったタグの識別子を情報端末に送り、前記情報端末を介してネットワーク上のデータベースにアクセスし、前記情報端末を介して前記データベースから前記識別子に対応付けられた音声情報を取得して前記記憶部に記憶する物品識別装置。
【請求項７】
固有の識別子を有するタグの読み取りを行うタグ読取部と、前記タグの有する固有の識別子および／またはこの識別子に対応付けられた音声情報を記憶する記憶部と、読み取ったタグの有する固有の識別子が前記記憶部に記憶されているそのタグの固有の識別子か否かを判定する判定部と、前記判定部の判定によって識別子に対応付けられた音声情報を再生する音声情報再生部と、ネットワークに接続が可能でありかつ文字情報を音声情報に変化する変換部を備えた情報端末との接続が可能な接続部と、これらの機能を制御する制御部とを備え、読み取ったタグの識別子を情報端末に送り、前記情報端末を介してネットワーク上のデータベースにアクセスし、前記情報端末が前記データベースから前記識別子に対応付けられた文字情報を取得して音声情報に変換した音声情報を前記情報端末から受け取り、前記音声情報を前記記憶部に記憶する物品識別装置。
【請求項８】
固有の識別子を有するタグの読み取りを行うタグ読取部と、前記タグの有する固有の識別子および／またはこの識別子に対応付けられた音声情報を記憶する記憶部と、読み取ったタグの有する固有の識別子が前記記憶部に記憶されているそのタグの固有の識別子か否かを判定する判定部と、前記判定部の判定によって識別子に対応付けられた音声情報を再生する音声情報再生部と、ネットワークに接続が可能な情報端末との接続が可能な接続部と、
文字情報を音声情報に変換する変換部と、これらの機能を制御する制御部とを備え、読み取ったタグの識別子を情報端末に送り、前記情報端末を介してネットワーク上のデータベースにアクセスし、前記情報端末を介して前記データベースから前記識別子に対応付けられた文字情報を取得し、前記変換部により文字情報を音声情報に変換して前記記憶部に記憶する物品識別装置。
【請求項９】
音声情報を取得した場合または音声情報を記憶部に記憶した場合に、取得または記憶した音声情報の再生を行う請求項６から８のいずれか１項に記載の物品識別装置。
【請求項１０】
文字情報を取得した場合または文字情報を記憶部に記憶した場合に、取得または記憶した文字情報を音声情報に変換して再生を行う請求項８に記載の物品識別装置。
【発明の詳細な説明】
【０００１】
【発明の属する技術分野】
本発明は、タグ読取機能や音声情報再生機能等を備え、物品の識別を可能とする物品識別装置に関するものである。
【０００２】
【従来の技術】
日本における視覚障害者の数は約３５万人と言われており、人間が外界から得る情報の多くが視覚に依存するため、視覚障害者は、日常生活や社会生活において多くの不便や不利益を被っている。そのため、ＩＴ技術を応用した支援システムに関する社会的要望は大きく、さまざまな研究がすすめられている。
【０００３】
例えば、視覚障害者が単独で家庭の中で生活するうえで、身の回りの物品を識別する手段を提供するために、識別対象の物品に、該物品を特定するための情報を格納した無線タグを装着し、該無線タグを設置型の無線タグ読取装置に近づけるとき、物品に関わる音声情報を提供する設置型物品識別装置が知られている（例えば、特許文献１参照）。
【０００４】
また、視覚障害者の社会参加の機会が増して行動範囲が拡大していることから、物品識別装置を携帯して屋外でも利用したいという要望が高まっている。
【０００５】
【特許文献１】
特開２００１−３５０４８５号公報
【０００６】
【発明が解決しようとする課題】
しかしながら、携帯型の物品識別装置を１人が１台携帯する利用シーンにおいて、屋内よりも識別したい対象が増え音声を登録する作業が頻発し、その操作を負担と感じるという課題を有していた。
【０００７】
よって本発明は、操作者の作業負担を軽減するタグ読取装置を備えた物品識別装置を提供することを目的とする。
【０００８】
【課題を解決するための手段】
上記課題を解決するために、本発明の物品識別装置は、固有の識別子を有するタグの読み取りを行うタグ読取部と、前記タグを読み取った後に音声情報を入力する音声情報入力部と、前記音声情報入力部から入力された音声情報を前記タグの有する固有の識別子に対応付けて記憶する記憶部と、読み取ったタグの識別子が前記記憶部に記憶されているそのタグの固有の識別子か否かを判定する判定部と、前記判定部の判定によって識別子に対応付けられた音声情報を再生する音声情報再生部と、外部の機器と通信を行う通信部とこれら機能を制御する制御部とを備えている。
【０００９】
この構成によれば、前記外部の機器との間でタグの有する固有の識別子およびこの識別子に対応付けられた音声情報の授受を行い、音声情報を共有化することで、操作者が音声情報を直接入力する作業を減らすことができる。
【００１０】
また、上記構成において、ネットワークに接続が可能な情報端末との接続が可能な接続部と、これらの機能を制御する制御部とを備えることで、読み取ったタグの識別子を情報端末に送り、前記情報端末を介してネットワーク上のデータベースにアクセスし、前記情報端末を介して前記データベースから前記識別子に対応付けられた音声情報を取得して前記記憶部に記憶することができ、操作者が音声情報を直接入力する作業を無くすことができる。
【００１１】
さらに、音声情報を授受するときに該音声情報を再生し、操作者が音声情報の授受が完了したことを確認できる。
【００１２】
【発明の実施の形態】
以下、本発明の実施の形態について、図１から図６を用いて説明する。
【００１３】
（実施の形態１）
図１において、１０は固有の識別子（以下、タグ識別子）を有するタグである。また、１００はタグ１０を読み取ることが可能な物品識別装置であり、以下に示す部位から構成される。１０１はタグに格納されたタグ識別子の読み取りを行うタグ読取部、１０２はタグを読み取った後に音声情報を入力する音声情報入力部、１０３は音声情報入力部から入力された音声情報をタグの有するタグ識別子に対応付けて記憶する記憶部、１０４は読み取ったタグ識別子が記憶部に記憶されている識別子か否かを判定する判定部、１０５は判定部１０４の判定によって記憶されている識別子であると判定されたときに識別子に対応付けられた音声情報を再生する音声情報再生部、１０６は外部の機器と通信を行う通信部、１１０はこれらの機能を制御する制御部をである。
【００１４】
ここで、先ず、物品に関わる音声情報を物品識別装置１００に登録するときの動作について説明する。
【００１５】
制御部１１０がタグ読取部１０１に読取指令を与え、タグ読取部１０１によって物品に付与されたタグ１０に格納されたタグ識別子を読み取る。
【００１６】
次に、制御部１１０が音声情報入力部１０２に入力指令を与え、音声情報入力部１０２を音声情報の入力停止状態から音声情報入力可能状態にする。ここで、この状態において操作者が物品に関わる情報を音声として入力すると、音声情報入力部１０２に内蔵されているアナログ−デジタル変換機能によりデジタル信号化された音声情報を取得する。また、制御部１１０は、予め規定した入力待ち時間Ｔだけ経過すると、音声情報入力部１０２に停止信号を与えて音声情報の入力停止状態にする。
【００１７】
次に、制御部１１０は、取得したタグ識別子および音声情報を判定部１０４に渡す。判定部１０４が記憶部１０３内を検索し、読み取ったタグの識別子が記憶部１０３に記憶されているタグ識別子か否かを判定し、その結果として、一致するタグ識別子が存在しない場合には、このタグ識別子に対応付けて音声情報の新規書込を行う。一方、一致するタグ識別子が存在する場合には、タグ識別子に対応付けて音声情報の上書込を行う。
【００１８】
次に、物品に関わる音声情報を物品識別装置１００から再生するときの動作について説明する。
【００１９】
制御部１１０がタグ読取部１０１に読取指令を与え、タグ読取部１０１によって物品に付与されたタグ１０に格納されたタグ識別子１を読み取る。
【００２０】
次に、制御部１１０は、取得したタグ識別子１を判定部１０４に渡す。判定部１０４は記憶部１０３内を検索し、読み取ったタグの識別子１が記憶部１０３に記憶されているタグ識別子か否かを判定し、その結果として、一致するタグ識別子が存在する場合には、このタグ識別子１に対応付けられた音声情報を音声情報再生部１０５に渡し、音声情報再生部１０５に内蔵されているデジタル−アナログ変換機能によりアナログ波形化された音声情報を再生する。一方、一致するタグ識別子が存在しない場合には制御部１１０が音声情報再生部１０５を制御し音声情報が存在しないことを意味するブザー音を再生する。
【００２１】
ここで、物品識別装置１００が有する通信機能を利用して、記憶部１０３に格納した物品に関わる音声情報を外部機器と授受するときの動作について説明する。
【００２２】
まず、制御部１１０が、通信部１０６に接続指令を与え、通信部１０６と、別の物品識別装置１０１ａ（以下、別の物品識別装置の構成要素についてａを付与する）の通信部１０６ａ（図示せず）と、有線式または無線式通信インターフェースを介して接続させる。
【００２３】
次に、制御部１１０は、通信部１０６を介して、別の物品識別装置１００ａの記憶部１０３ａ（図示せず）に格納されたタグ識別子の集合としてのタグ識別子一覧を取得する。
【００２４】
次に、制御部１１０は、別の物品識別装置１００ａから取得したタグ識別子一覧を判定部１０４に渡す。判定部１０４が記憶部１０３内を検索し、取得したタグ識別子一覧にあるタグ識別子が記憶部１０３に記憶されているタグ識別子と一致するか否かを判定し、その結果として、一致するタグ識別子が存在しない場合には、別の物品識別装置１００ａの記憶部１０３ａからタグ識別子とこのタグ識別子に対応付けた音声情報を取得し、記憶部１０３に新規書込を行う。また、一致するタグ識別子が存在する場合には、既に登録済みとして新規書込は行わない。
【００２５】
以上のように、通信機能を利用して、外部機器との間でタグの有する固有の識別子およびこの識別子に対応付けられた音声情報の授受を行うことで、音声情報を共有化し、操作者が音声情報を直接入力する作業を減らすことができる。
【００２６】
（実施の形態２）
本実施の形態において実施の形態１と同様の構成については同一の番号を付して詳細な説明を省略する。
【００２７】
図２において、２０１はタグ１０に格納された情報の読み取りおよび書き込みを行うタグ読取書込部である。
【００２８】
実施の形態１と異なるのは、音声情報入力部１０２から入力された音声情報と、音声情報に対応づけられた音声識別子２を記憶部１０３に格納し、タグ１０にこの音声識別子の書き込みを行う点である。そして、タグ１０からこの音声識別子の読み込みを行い音声情報の再生を行うものである。
【００２９】
まず、物品に関わる音声情報を物品識別装置１００に登録するときの動作について説明する。
【００３０】
記制御部１１０が音声情報入力部１０２に入力指令を与え、音声情報入力部１０２を音声情報の入力停止状態から音声情報入力可能状態にする。ここで、この状態において操作者は物品に関わる情報を音声として入力すると、音声情報入力部１０２に内蔵されているアナログ−デジタル変換機能によりデジタル信号化された音声情報を取得する。また、制御部１１０は、予め規定した入力待ち時間Ｔだけ経過すると、音声情報入力部１０２に停止信号を与えて音声情報の入力停止状態にする。
【００３１】
次に、制御部１１０は、取得した音声情報を記憶部１０３に格納すると同時に、音声情報に対応付けられた音声識別子２を生成して格納する。
【００３２】
次に、制御部１１０がタグ読取書込部２０１に書込指令を与え、タグ読取書込部２０１によって物品に付与されたタグ１０に音声識別子２を書き込む。よって以降、音声識別子２をタグ１０を特定するための固有の識別子として扱うことができる。
【００３３】
次に、物品に関わる音声情報を物品識別装置１００から再生するときの動作について説明する。
【００３４】
まず、制御部１１０がタグ読取書込部２０１に読取指令を与え、前期タグ読取部２０１によって物品に付与されたタグ１０に格納された音声識別子２を読み取る。
【００３５】
次に、制御部１１０は、取得した音声識別子２を判定部１０４に渡す。
【００３６】
判定部１０４は記憶部１０３内を検索し、読み取った音声識別子２が記憶部１０３に記憶されている識別子か否かを判定し、その結果として、一致する識別子が存在する場合には、この識別子に対応付けられた音声情報を音声情報再生部１０５に渡し、音声情報再生部１０５に内蔵されているデジタル−アナログ変換機能によりアナログ波形化された音声情報を再生する。一方、一致する識別子が存在しない場合には制御部１１０が音声情報再生部１０５を制御し、音声情報が存在しないことを意味するブザー音を再生する。
【００３７】
以上のように、同一物品が複数個あるような利用シーンにおいて、タグ書込機能を利用して、１つの音声情報に対応付けられた識別子を複数のタグに書き込むことで、操作者が音声情報を入力する作業を減らすことができる。
【００３８】
（実施の形態３）
本実施の形態において実施の形態１または実施の形態２と同様の構成については同一の番号を付して詳細な説明を省略する。
【００３９】
実施の形態１または実施の形態２と異なるのは、外部の機器からタグの有する固有の識別子およびこの識別子に対応付けられた音声情報を受け取った場合に、受け取った音声情報の再生を行う点である。
【００４０】
物品識別装置１００の通信機能を利用して、記憶部１０３に格納した物品に関わる音声情報を外部機器と授受するときの動作について説明する。
【００４１】
まず、制御部１１０が、通信部１０６に接続指令を与え、通信部１０６と別の物品識別装置１０１ａの通信部１０６ａとを、有線式または無線式通信インターフェースを介して接続させる。
【００４２】
次に、制御部１１０は、通信部１０６を介して、別の物品識別装置１００ａの記憶部１０３ａに格納されたタグ識別子の集合としてのタグ識別子一覧を取得する。
【００４３】
次に、制御部１１０は、別の物品識別装置１００ａから取得したタグ識別子一覧を判定部１０４に渡す。判定部１０４は記憶部１０３内を検索し、取得したタグ識別子一覧にあるタグ識別子が記憶部１０３に記憶されているタグ識別子と一致するか否かを判定し、その結果として、一致するタグ識別子が存在しない場合には、別の物品識別装置１００ａの記憶部１０３ａ（図示せず）からタグ識別子とこのタグ識別子に対応付けた音声情報を取得し、記憶部１０３に新規書込を行う。またこれと同時に、受け取った音声情報を音声情報再生部１０５に渡して音声情報の再生を行う。また、一致するタグ識別子が存在する場合には、既に登録済みとする。
【００４４】
以上のように、通信機能を利用して、外部機器との間でタグの有する固有の識別子およびこの識別子に対応付けられた音声情報の授受を行うときに、受け取った音声情報を再生することで、操作者が受け取った音声情報を逐次確認できる。
【００４５】
（実施の形態４）
本実施の形態において実施の形態１または実施の形態２と同様の構成については同一の番号を付して詳細な説明を省略する。
【００４６】
図３において、３０１は着脱可能な副記憶部を示す。
【００４７】
実施の形態１または実施の形態２と異なるのは、着脱可能な副記憶部３０１を備え、制御部１１０がこの副記憶部３０１の装着状態を検知し、この副記憶部３０１からタグの有する固有の識別子およびこの識別子に対応付けられた音声情報の受け取りを行う点である。
【００４８】
物品識別装置１００の副記憶部３０１を利用して、物品に関わる音声情報を外部機器と授受するときの動作について説明する。
【００４９】
まず、制御部１１０は、例えば制御部１１０の内蔵タイマ（図示せず）を利用して、約１０ｍｓ間隔で副記憶部３０１の着脱状態を監視するための監視処理を行う。
【００５０】
次に、別の物品識別装置１００ａに設けられ、タグ識別子とこの識別子に対応付けられた音声情報を記憶している副記憶部３０１ａを別の物品識別装置１００ａから分離し、副記憶部３０１として物品識別装置１００に装着する。このとき、監視処理の結果として、副記憶部３０１が装着状態にあることを検知した場合、制御部１１０は、副記憶部３０１に格納されたタグ識別子の集合としてのタグ識別子一覧を取得する。
【００５１】
次に、制御部１１０は、副記憶部３０１から取得したタグ識別子一覧を判定部１０４に渡す。判定部１０４は記憶部１０３内を検索し、取得したタグ識別子一覧にあるタグ識別子が記憶部１０３に記憶されているタグ識別子と一致するか否かを判定し、その結果として、一致するタグ識別子が存在しない場合には、副記憶部３０１からタグ識別子とこのタグ識別子に対応付けた音声情報を取得して記憶部１０３に新規書込を行い、同時に、受け取った音声情報を音声情報再生部１０５に渡して音声情報の再生を行う。また、一致するタグ識別子が存在する場合には、既に登録済みとする。
【００５２】
なお、監視処理で副記憶部３０１が物品識別装置１００に装着状態であることを検知したとき、判定部１０４が副記憶部３０１内を検索し、記憶部１０３に記憶されているタグ識別子が副記憶部３０１に記憶されているタグ識別子と一致するか否かを判定し、その結果として、一致するタグ識別子が存在しない場合には、副記憶部３０１のタグ識別子とこのタグ識別子に対応付けた音声情報を取得して副記憶部３０１に新規書込を行い、同時に、この音声情報を音声情報再生部１０５に渡して音声情報の再生を行わせることで、記憶部１０３と副記憶部３０１との間で情報のミラーリングを行ってもよい。
【００５３】
これにより、記憶部１０３に記憶している情報を副記憶部３０１に渡すことができ、この副記憶部３０１を別の物品識別装置に装着することで、この別の物品識別装置において、音声情報の入力作業を削減することができる。
【００５４】
以上のように、記憶部と副記憶部との間で、タグの有する固有の識別子およびこの識別子に対応づけた音声情報の授受を開始するためのトリガ要因を、操作者が記憶部を装着する動作とすることで、操作キーなどを利用した煩雑な操作を無くし操作者の操作回数を低減できる。
【００５５】
また、副記憶部を別の物品識別装置に移すことができるので、この別の物品識別装置を使用する場合、再度、音声情報を入力する手間を削減することができる。
【００５６】
（実施の形態５）
本実施の形態において実施の形態１または実施の形態２と同様の構成については同一の番号を付して詳細な説明を省略する。
【００５７】
図４において、４１０はネットワークに接続可能な情報端末、４２０はネットワーク上に設けられたタグの有する固有の識別子およびこの識別子に対応づけられた音声情報を格納するデータベース、４０１は物品識別装置１００に設けられ外部の機器である情報端末４１０に接続が可能な接続部を示す。
【００５８】
実施の形態１または実施の形態２と異なるのは、情報端末を介してネットワーク上のデータベースにアクセスし、タグの有する固有の識別子に対応付けられ音声情報を受け取る点である。
【００５９】
物品識別装置１００の接続機能を利用して、物品に関わる音声情報をネットワーク上のデータベースと授受するときの動作について説明する。
【００６０】
まず、制御部１１０は、有線式または無線式接続インターフェースを有する接続部４０１を介して情報端末４１０をリモート制御して、ネットワーク上に設けられたタグの有する固有の識別子およびこの識別子に対応づけられた音声情報のデータベース４２０にアクセスする。
【００６１】
次に、制御部１１０がタグ読取部１０１に読取指令を与え、タグ読取部１０１によって物品に付与されたタグ１０に格納されたタグ識別子１を読み取る。
【００６２】
次に、制御部１１０は、取得したタグ識別子１を判定部１０４に渡す。判定部１０４はデータベース４２０を検索し、読み取ったタグの識別子がデータベース４２０に記憶されているタグ識別子か否かを判定し、その結果として、一致するタグが存在する場合は、情報端末４１０を介してデータベース４２０から該タグ識別子に対応付けられた音声情報を取得して、記憶部１０３に新規書込を行い、同時に、受け取った音声情報を音声情報再生部１０５に渡して音声情報の再生を行う。一方、一致するタグ識別子が存在しない場合には、制御部１１０が音声情報再生部１０５を制御し、音声情報が存在しないことを意味するブザー音を再生する。
【００６３】
なお、データベース４２０上に、物品を識別するためのタグの有する固有の識別子に対応付けられた音声情報以外に、この物品の補足的な情報を説明するための副音声情報、例えば、物品を最初に利用する場合にのみに再生すればよい音声などを格納してもよい。この場合、物品識別装置１００がデータベース４２０から、タグの有する固有の識別子に対応付けられた音声情報に加えて副音声情報を取得し、音声情報については再生と記憶部１０３への新規書込を行い、続いて、副音声情報については再生のみ行い記憶部１０３への書込は行わない。
【００６４】
以上のように、本実施の形態によれば、情報端末に接続して、ネットワーク上のデータベースにアクセスして物品を識別する音声情報を取得できる。また、この物品の補足的な情報を説明するための副音声情報を再生することで、使い勝手の良い物品識別装置を提供することができる。
【００６５】
（実施の形態６）
本実施の形態において実施の形態５と同様の構成については同一の番号を付して詳細な説明を省略する。
【００６６】
図５において、５２０はタグの有する固有の識別子に対応付けられた文字情報を格納したデータベース、５１１は情報端末５１０が内蔵する文字情報を音声情報に変換する変換部である。
【００６７】
実施の形態５と異なるのは、情報端末５１０が、ネットワーク上のデータベース５２０にアクセスして、タグの有する固有の識別子に対応付けられた文字情報を受け取り、続いて、物品識別装置１００が、情報端末５１０によって文字情報から変換された音声情報を受け取る点である。
【００６８】
物品に関わる文字情報をネットワーク上のデータベース５２０と授受し、情報端末５１０で文字情報を音声情報に変換するときの動作について説明する。
【００６９】
まず、制御部１１０は、有線式または無線式接続インターフェースを有する接続部４０１を介して情報端末５１０をリモート制御して、ネットワーク上に設けられたタグの有する固有の識別子およびこの識別子に対応づけられた文字情報のデータベース５２０にアクセスする。
【００７０】
次に、制御部１１０がタグ読取部１０１に読取指令を与え、タグ読取部１０１によって物品に付与されたタグ１０に格納されたタグ識別子１を読み取る。
【００７１】
次に、制御部１１０は、取得したタグ識別子１を判定部１０４に渡す。判定部１０４はデータベース５２０内を検索し、読み取ったタグの識別子がデータベース５２０に記憶されているタグ識別子か否かを判定し、その結果として、一致するタグが存在する場合には、データベース５２０からこのタグ識別子に対応付けられた文字情報を、情報端末５１０の変換部５１１を利用して音声情報に変換したのち取得し、記憶部１０３に新規書込を行い、同時に、受け取った音声情報を音声情報再生部１０５に渡して音声情報の再生を行う。一方、一致するタグ識別子が存在しない場合には、制御部１１０が音声情報再生部１０５を制御し、情報が存在しないことを意味するブザー音を再生する。
【００７２】
以上のように、情報端末５１０に文字情報を音声情報に変換する変換部５１１を備えることで、データベース５２０は文字情報で構築することができる。文字情報は音声情報と比べて入力の手間がかからないので、データベース５２０を構築する作業を軽減することができる。
【００７３】
また、物品識別装置１００については、ネットワーク上のデータベース５２０にアクセスして物品を識別する音声情報を取得することができるので、音声情報を入力する作業を軽減することができる。
【００７４】
（実施の形態７）
本実施の形態において実施の形態５または実施の形態６と同様の構成については同一の番号を付して詳細な説明を省略する。
【００７５】
図６において、６０１は物品識別装置１００内に設けられ文字情報を音声情報に変換する変換部、６０２はタグの有する固有の識別子と該識別子に対応付けられた音声情報や文字情報を記憶する記憶部を示す。
【００７６】
実施の形態５または実施の形態６と異なるのは、タグの有する固有の識別子に対応付けられた文字情報を受け取り、この文字情報を物品識別装置１００内で音声情報に変換して再生する点である。
【００７７】
物品に関わる文字情報をネットワーク上のデータベース５２０と授受し、物品識別装置１００で文字情報を音声情報に変換するときの動作について説明する。
【００７８】
まず、制御部１１０は、有線式または無線式接続インターフェースを有する接続部４０１を介して情報端末４１０をリモート制御して、ネットワーク上に設けられたタグの有する固有の識別子およびこの識別子に対応づけられた文字情報のデータベース５２０にアクセスする。
【００７９】
次に、制御部１１０がタグ読取部１０１に読取指令を与え、タグ読取部１０１によって物品に付与されたタグ１０に格納されたタグ識別子１を読み取る。
【００８０】
次に、制御部１１０は、取得したタグ識別子１を判定部１０４に渡す。判定部１０４はデータベース５２０内を検索し、読み取ったタグの識別子がデータベース５２０に記憶されているタグ識別子か否かを判定し、その結果として、一致するタグが存在する場合には、データベース５２０から該タグ識別子に対応付けられた文字情報を、情報端末４１０を介して取得し、記憶部１０３に新規書込を行う。また、これと同時に、制御部１１０が変換部６０１を利用してこの文字情報を音声情報に変換し、この音声情報を音声情報再生部１０５に渡して音声情報の再生を行う。
【００８１】
一方、一致するタグ識別子が存在しない場合には、制御部１１０が音声情報再生部１０５を制御し、情報が存在しないことを意味するブザー音を再生する。
【００８２】
ここで、物品に関わる音声情報を物品識別装置１００から再生するときの動作について説明する。
【００８３】
まず、制御部１１０がタグ読取書込部２０１に読取指令を与え、タグ読取部２０１によって物品に付与されたタグ１０に格納されたタグ識別子１を読み取る。
【００８４】
次に、制御部１１０は、取得したタグ識別子１を判定部１０４に渡す。
【００８５】
判定部１０４は記憶部１０３内を検索し、読み取ったタグ識別子１が記憶部１０３に記憶されている識別子か否かを判定し、その結果として、一致する識別子が存在しかつこの識別子に音声情報が対応付けられている場合には、この識別子に対応付けられた音声情報を音声情報再生部１０５に渡し、音声情報再生部１０５に内蔵されているデジタル−アナログ変換機能によりアナログ波形化された音声情報を再生する。
【００８６】
また、一致する識別子が存在しかつこの識別子に文字情報が対応付けられている場合には、制御部１１０は変換部６０１を利用してこの文字情報を音声情報に変換し、この音声情報を音声情報再生部１０５に渡して音声情報の再生を行う。
【００８７】
また、一致する識別子が存在しない場合には、制御部１１０が音声情報再生部１０５を制御し、音声情報が存在しないことを意味するブザー音を再生する。
【００８８】
以上のように、物品識別装置１００が文字情報を音声情報に変換する変換部６０１を備えることで、文字情報より記憶容量の多い音声情報ではなく、音声情報より記憶容量の少ない文字情報を記憶部６０２に記憶しておき、音声情報を再生する場合には必要な文字情報を読み出し、これを音声情報に変換して再生することができる。このように、記憶容量の少ない文字情報を記憶部１０３に格納することで記憶部１０３の容量を節約できる。
【００８９】
なお、上記実施の形態におけるタグ１０の一例としてはＲＦＩＤタグが挙げられる。そして、この場合の物品識別装置１００は、ＲＦＩＤリードライト機能を有するものである。
【００９０】
また、上記実施の形態の物品識別装置１００は、タグ１０が１つではなく複数個ある場合に、より効果があるものである。
【００９１】
【発明の効果】
以上のように、本発明の物品識別装置は、外部の機器との間でタグの有する固有の識別子およびこの識別子に対応付けられた音声情報の授受を行い、音声情報を共有化し、操作者が音声情報を直接入力する作業を減らすことができる。
【００９２】
また、音声情報を授受するときにこの音声情報を再生することにより、操作者は音声情報の授受が完了したことを確認することができる。
【図面の簡単な説明】
【図１】本発明の物品識別装置の実施の形態１における概略構成を示すブロック図
【図２】本発明の物品識別装置の実施の形態２における概略構成を示すブロック図
【図３】本発明の物品識別装置の実施の形態４における概略構成を示すブロック図
【図４】本発明の物品識別装置の実施の形態５における概略構成を示すブロック図
【図５】本発明の物品識別装置の実施の形態６における概略構成を示すブロック図
【図６】本発明の物品識別装置の実施の形態７における概略構成を示すブロック図
【符号の説明】
１０  タグ
１００  物品識別装置
１０１  タグ読取部
１０２  音声情報入力部
１０３  記憶部
１０４  判定部
１０５  音声情報再生部
１０６  通信部
２０１  タグ読取書込部
３０１  副記憶部
４０１  接続部
４１０  情報端末
４２０  データベース
５１０  情報端末
５１１  変換部
５２０  データベース
６０１  変換部
６０２  記憶部
【図１】
2004177769.tif 000003
【図２】
2004177769.tif 000004
【図３】
2004177769.tif 000005
【図４】
2004177769.tif 000006
【図５】
2004177769.tif 000007
【図６】
2004177769.tif 000008